(57)【要約】【課題】ダイオキシンによる汚染土壌を洗浄処理するための有効適切な汚染土壌洗浄プラントを提供する。【解決手段】ダイオキシンを含む粉塵の周囲への飛散を防止するための管理区域を設定する。管理区域内には、洗浄処理を行うための洗浄エリア２と、処理対象の汚染土壌を集積しておく汚染土壌集積エリア３と、洗浄処理により発生した脱水ケーキを集積しておく脱水ケーキ集積エリア４と、非管理区域との間に配置されて前室として機能する緩衝エリア５とを設定する。それら各エリアのうち少なくとも汚染土壌集積エリア３、脱水ケーキ集積エリア４、緩衝エリア５をそれぞれ他のエリアから隔離した隔室として構成して集塵設備を設置する。【選択図】図１
2009254983.tif 000002
【特許請求の範囲】
【請求項１】
ダイオキシンに汚染された土壌を洗浄して清浄化するための汚染土壌洗浄プラントであって、
当該プラント内に、ダイオキシンを含む粉塵が発生することを想定した管理区域を設定するとともに、処理すべき汚染土壌を外部から該管理区域内に搬入しかつ処理後の洗浄土壌および脱水ケーキを該管理区域内から外部に搬出するための積込・荷降エリアを非管理区域として設定し、
前記管理区域内には、汚染土壌に対して洗浄処理を行うための洗浄エリアと、処理対象の汚染土壌を集積しておく汚染土壌集積エリアと、洗浄処理により発生した脱水ケーキを集積しておく脱水ケーキ集積エリアと、前記汚染土壌集積エリアおよび前記脱水ケーキ集積エリアに対する前室として機能する緩衝エリアを設定し、
かつ、前記管理区域内に設定した各エリアのうち、少なくとも前記汚染土壌集積エリア、前記脱水ケーキ集積エリア、前記緩衝エリアを、それぞれ他のエリアから隔離した隔室として構成するとともに、それら各エリアには集塵設備を設置してなることを特徴とする汚染土壌洗浄プラント。
【発明の詳細な説明】
【技術分野】
【０００１】
本発明はダイオキシンによる汚染土壌を洗浄して清浄化するための汚染土壌洗浄プラントに関する。
【背景技術】
【０００２】
各種の汚染物質により汚染された土壌に対する浄化技術としては、たとえば特許文献１に示されるような土壌洗浄法が知られている。
これは、汚染土壌を洗浄プラント内においてドラムウォッシャー等の洗浄装置により機械的に洗浄して汚染物質を除去するものであり、重金属等による汚染土壌に対する清浄化処理として好適であるとされている。
【特許文献１】特開２００４−３５８３４７号公報
【発明の開示】
【発明が解決しようとする課題】
【０００３】
ところで、近年大きな社会問題となっているダイオキシンによる汚染土壌に対しては現時点では有効な浄化処理技術が確立されておらず、そのため重金属等による汚染土壌と同様に上記のような土壌洗浄法によって清浄化処理することが検討されている。
しかし、従来一般の土壌洗浄法を単にそのままダイオキシンによる汚染土壌の洗浄に適用した場合には、処理過程においてダイオキシンを含む粉塵が発生することが想定されることから、それが周囲に飛散したり作業員への曝露を確実に防止するための万全の対策が不可欠である。
【０００４】
上記事情に鑑み、本発明はダイオキシンによる汚染土壌を洗浄処理して清浄化するに際して、ダイオキシンを含む粉塵が周囲に飛散したり作業員への曝露を確実に防止し得る有効適切な汚染土壌洗浄プラントを提供することを目的とある。
【課題を解決するための手段】
【０００５】
本発明は、ダイオキシンに汚染された土壌を洗浄して清浄化するための汚染土壌洗浄プラントであって、当該プラント内に、ダイオキシンを含む粉塵が発生することを想定した管理区域を設定するとともに、処理すべき汚染土壌を外部から該管理区域内に搬入しかつ処理後の洗浄土壌および脱水ケーキを該管理区域内から外部に搬出するための積込・荷降エリアを非管理区域として設定し、前記管理区域内には、汚染土壌に対して洗浄処理を行うための洗浄エリアと、処理対象の汚染土壌を集積しておく汚染土壌集積エリアと、洗浄処理により発生した脱水ケーキを集積しておく脱水ケーキ集積エリアと、前記汚染土壌集積エリアおよび前記脱水ケーキ集積エリアに対する前室として機能する緩衝エリアを設定し、かつ、前記管理区域内に設定した各エリアのうち、少なくとも前記汚染土壌集積エリア、前記脱水ケーキ集積エリア、前記緩衝エリアを、それぞれ他のエリアから隔離した隔室として構成するとともに、それら各エリアには集塵設備を設置してなることを特徴とする。
【発明の効果】
【０００６】
本発明の汚染土壌洗浄プラントによれば、ダイオキシンを含む粉塵の発生が想定されるエリアを管理区域として設定し、管理区域内をさらに複数のエリアに区分して他のエリアとは隔離して隔室化したうえでその内部に集塵装置を設置し、しかも非管理区域との間には前室として機能する緩衝エリアを設けてその緩衝エリアも管理区域と同様に隔室化しかつ集塵装置を備えるので、洗浄処理の過程で発生することが想定されるダイオキシンを含む粉塵の外部への飛散や作業員に対する曝露を有効に防止することができる。
【発明を実施するための最良の形態】
【０００７】
本発明の汚染土壌洗浄プラントの一実施形態を図１〜図３を参照して説明する。
本実施形態の汚染土壌洗浄プラントはダイオキシンによる汚染土壌を処理対象とするものであって、処理過程で発生することが想定されるダイオキシンを含む粉塵の飛散防止の観点からプラント全体をテントにより覆ったうえで、その内部を図１に示すように非管理区域と管理区域とに区分したことを主眼とする。
【０００８】
非管理区域はプラント全体の半分ほどの面積を占めており、ここには図１の矢印で示しているように処理すべき汚染土壌を外部から管理区域内に搬入し、かつ処理後の洗浄土壌および脱水ケーキを外部に搬出するための車両が乗り入れる積込・荷降エリア１が設定されている。
この積込・荷降エリア１には汚染土壌を積載した車両と処理後の洗浄土壌および脱水ケーキを積載した車両が単に乗り入れるだけであるので、ここでは粉塵飛散防止のための特別な管理を必要としない。したがってこの積込・荷降エリア１では、図２に示すように単にテントにより簡易な区画を行い、かつルーフファン等による換気を行うのみで十分であるし、作業員も通常の作業服を着用した状態で通常の体制での作業を自由に行うことできる。
【０００９】
一方、管理区域は洗浄処理過程においてダイオキシンを含む粉塵が発生することが想定される区域であって、その粉塵が外部に飛散したり作業員への曝露を防止するための対策が必要であることから、本実施形態では管理区域をさらに細分化して、洗浄エリア２と、汚染土壌集積エリア３と、脱水ケーキ集積エリア４と、緩衝エリア５とに区分している。
そして、それら各エリアに対しては図２に示すようにそれぞれの作業内容に応じた粉塵飛散防止対策がなされており、かつそれら各エリア内で作業する作業員は図３に示すように防塵対策のための装備（後述）を行うことを原則とする。
【００１０】
洗浄エリア２は、汚染土壌集積エリア３に集積していた処理対象の汚染土壌に対してたとえば特許文献１に示されるような洗浄処理工程によって清浄化するためのエリアであって、清浄化した洗浄土壌をスラリー化して上記の積込・荷降エリア１を経て外部に搬出し、かつ洗浄処理により発生した脱水ケーキを脱水ケーキ集積エリア４に集積させる作業を行うようになっている。ここでの洗浄作業は洗浄水による湿式で行われることから粉塵は自ずと発生し難く、したがってこの洗浄エリア２ではルーフファン等による換気を行うことで十分である。
なお、洗浄エリア２には処理過程で発生する汚染水が外部に流出することを防止するために、要所に防液堤や排水溝を設けることが好ましい。
【００１１】
汚染土壌集積エリア３には処理対象の汚染土壌を貯留するピットが設けられていて、そのピットに汚染土壌を投入する際には粉塵が発生することが想定されることから、この汚染土壌集積エリア３は他のエリアから隔離された隔室として構成され、かつその内部には散水による湿式の集塵装置が備えられていて、ダイオキシンを含む粉塵を有効に捕集し得るものとされている。
【００１２】
脱水ケーキ集積エリア４には洗浄処理により発生した脱水ケーキが貯留されるようになっており、その脱水ケーキからも粉塵が発生することが想定されることから、この脱水ケーキ集積エリア４も上記の汚染土壌集積エリア３と同様に隔室として構成され、かつここにも集塵装置が備えられている。
【００１３】
緩衝エリア５は、非管理区域である上記の積込・荷降エリア１と、粉塵が発生することが想定される汚染土壌集積エリア２および脱水ケーキ集積エリア３との間に配置され、汚染土壌集積エリア３や脱水ケーキ集積エリア４と同様に隔室として構成され、かつミスト噴霧による湿式の集塵装置が備えられている。
この緩衝エリア５は、汚染土壌集積エリア２や脱水ケーキ集積エリア３および上記の洗浄エリア２に対する前室（バッファーゾーン）として機能するものであって、作業員が非管理区域から管理区域内の各エリアに出入りする際にはそれら各エリアが直接外部に開放されないようにこの緩衝エリア５を経ることを原則とする。
【００１４】
なお、作業員が管理区域内の各エリアでの作業を行うに際しては、図３に示すように防塵服６を着用したうえで、防塵用のマスク７、手袋８、長靴９を着用することを原則とし、さらに必要に応じてゴーグルを着用すると良い。
また、作業員に対する健康上の安全性をより確実にするために、管理区域内での作業時間を制限し、かつ作業員に対して定期的な健康診断を行うことが望ましい。
【００１５】
以上のように、本実施形態の汚染土壌洗浄プラントは、ダイオキシンを含む粉塵の発生が想定されるエリアを管理区域として設定して他のエリアとは隔離して隔室化したうえでその内部に集塵装置を設置し、かつ非管理区域との間には前室として機能する緩衝エリア５を設けてその緩衝エリア５も管理区域と同様に隔室化しかつ集塵装置を備えたので、洗浄処理の過程で発生することが想定されるダイオキシンを含む粉塵の外部への飛散を確実に防止できるし、作業員への曝露も十分に軽減することが可能である。
【００１６】
なお、上記実施形態ではプラント全体をテントにより覆う構成としたが、より高度の粉塵飛散防止を図るためにテントよりも密閉度の高い建屋内にプラント全体を設けることも勿論可能であり、その場合には各エリア間を隔壁により気密裡に区画することが好ましい。
また、上記実施形態では洗浄エリアや積込・荷降エリアについては粉塵に対する集塵機を省略したが、必要に応じてそれらのエリアにも（すなわちプラント全体に対して）集塵機を設置しても勿論良い。なお、粉塵飛散防止としては上記実施形態のように散水やミスト噴霧も採用可能である。いずれにしても、ダイオキシンはガス化によらず粉塵とともに飛散するので、プラント内において集塵機により十分な粉塵捕集を行うことによりダイオキシンの飛散や作業員に対する曝露を十分に防止することができる。
勿論、プラント全体の規模や各エリアの配置を含む全体の平面計画については、処理対象の汚染土壌の汚染の程度、要求される処理能力、周辺環境を含む立地条件等の諸条件を考慮して最適設計すれば良いことは言うまでもないし、その他、本発明の要旨を逸脱しない範囲内で適宜の設計的変更や応用が可能であることは当然である。
【図面の簡単な説明】
【００１７】
【図１】本発明の一実施形態である汚染土壌洗浄プラントの概略構成を示す全体平面図である。
【図２】同、各エリアの概要を示す図である。
【図３】同、管理区域内での作業員の装備を示す図である。
【符号の説明】
【００１８】
１  積込・荷降エリア（非管理区域）
２  洗浄エリア（管理区域）
３  汚染土壌集積エリア（管理区域）
４  脱水ケーキ集積エリア（管理区域）
５  緩衝エリア（管理区域）
【図１】
2009254983.tif 000003
【図２】
2009254983.tif 000004
【図３】
2009254983.tif 000005